(57)【要約】【課題】遠隔制御対象装置と両方向通信が可能な携帯用通信端末機のリモコン装置及びその機能遂行方法を提供する。【解決手段】本発明は、遠隔制御対象装置を選択し、遠隔制御命令を入力するための入力部と、選択を感知すると、遠隔制御対象装置の遠隔制御のための遠隔制御モードを設定し、遠隔制御対象装置に遠隔制御されることを知らせ、遠隔制御対象装置が初期化を実施するようにし、遠隔制御モードで前記入力部を通じる入力を遠隔制御命令の入力として認識する制御部と、遠隔制御対象装置に遠隔制御されることを知らせるためのメッセージ或いは遠隔制御命令に対応する無線信号を発生して遠隔制御対象装置に送信し、或いは遠隔制御対象装置から無線信号を受信する送受信部とを含む携帯通信端末機のリモコン装置を提供する。【選択図】図７
2007043701.tif 000002
【特許請求の範囲】
【請求項１】
遠隔制御対象装置を選択し、遠隔制御命令を入力するための入力部と、
前記選択を感知すると、前記遠隔制御対象装置の遠隔制御のための遠隔制御モードを設定し、前記遠隔制御対象装置に遠隔制御されることを知らせ、前記遠隔制御対象装置が初期化を実施するようにし、前記遠隔制御モードで前記入力部を通じる入力を遠隔制御命令の入力として認識する制御部と、
前記遠隔制御対象装置に遠隔制御されることを知らせるためのメッセージ或いは前記遠隔制御命令に対応する無線信号を発生して前記遠隔制御対象装置に送信し、或いは前記遠隔制御対象装置から無線信号を受信する送受信部と、
を含むことを特徴とする携帯通信端末機のリモコン装置。
【請求項２】
前記遠隔制御対象装置がデジタル放送受信器であることを特徴とする請求項１記載の携帯通信端末機のリモコン装置。
【請求項３】
前記無線信号がブルートゥース信号であることを特徴とする請求項２記載の携帯通信端末機のリモコン装置。
【請求項４】
表示部をさらに備え、前記送受信部を通じて前記デジタル放送受信器から電子プログラム案内(Ｅｌｅｃｔｒｏｎｉｃ  Ｐｒｏｇｒａｍ  Ｇｕｉｄｅ：ＥＰＧ)情報を受信して前記表示部に表示することを特徴とする請求項２記載の携帯通信端末機のリモコン装置。
【請求項５】
前記入力部が複数のキーを有するキーパッドを含むことを特徴とする請求項２記載の携帯通信端末機のリモコン装置。
【請求項６】
前記入力部がタッチパッドを備える表示部にキーパッドの複数キーを表示する入力画面であることを特徴とする請求項２記載の携帯通信端末機のリモコン装置。
【請求項７】
前記入力部にリモコンユーザーインターフェースメニューを表示して遠隔制御対象装置としてデジタル放送受信器を選択可能にし、前記デジタル放送受信器のモデル名メニューを表示して前記デジタル放送受信器のモデルを選択可能にすることを特徴とする請求項６記載の携帯通信端末機のリモコン装置。
【請求項８】
遠隔制御対象装置としてデジタル放送受信器を選択し、遠隔制御命令を入力するための入力部と、
前記選択を感知すると、前記遠隔制御対象装置の遠隔制御のための遠隔制御モードを設定し、前記遠隔制御対象装置に遠隔制御されることを知らせて前記遠隔制御対象装置が該当初期化を実施するようにし、前記遠隔制御モードで前記入力部を通じる入力を遠隔制御命令の入力として感知する制御部と、
前記制御部が感知した遠隔制御命令に対応する第１の無線信号を発生して前記遠隔制御対象装置に送信する送信部と、
前記遠隔制御対象装置に遠隔制御されることを知らせるためのメッセージ又は前記遠隔制御命令に対応する第２の無線信号を発生して前記遠隔制御対象装置に送信し、或いは前記遠隔制御対象装置から第２の無線信号を受信する送受信部と、
を含むことを特徴とする携帯通信端末機のリモコン装置。
【請求項９】
前記遠隔制御対象装置がデジタル放送受信器であることを特徴とする請求項８記載の携帯通信端末機のリモコン装置。
【請求項１０】
前記入力部に単方向/両方向通信方式メニューを表示して通信方式を選択可能にすることを特徴とする請求項９記載の携帯通信端末機のリモコン装置。
【請求項１１】
前記制御部が、前記デジタル放送受信器に遠隔制御されることを知らせる第２の無線信号を送信した後に、前記デジタル放送受信器から応答が受信されないと、自動に単方向通信方式に切り替えて遠隔制御を遂行することを特徴とする請求項９記載の携帯通信端末機のリモコン装置。
【請求項１２】
前記携帯通信端末機が携帯用電話機であることを特徴とする請求項８又は９に記載の携帯通信端末機のリモコン装置。
【請求項１３】
どんな遠隔制御対象装置が選択されるか否かをチェックする段階と、
前記選択を感知すると、単方向/両方向通信方式メニューを表示する段階と、
単方向通信方式メニューが選択されると、リモコン機能の遂行のためのユーザーインターフェースを表示する段階と、
両方向通信方式メニューが選択されると、前記選択された遠隔制御対象装置に遠隔制御されることを知らせ、リモコン機能を遂行するためのユーザーインターフェースを表示する段階と、
前記ユーザーインターフェースを通じるチャンネル選択を感知すると、前記チャンネル選択を前記遠隔制御対象に知らせる段階と、
前記チャンネルがチューニングされると、両方向通信方式の場合に、前記遠隔制御対象装置から受信した情報を前記リモコン機能を遂行するためのユーザーインターフェースと共に表示する段階と、
を有することを特徴とする携帯通信端末機のリモコン機能遂行方法。
【請求項１４】
前記どんな遠隔制御対象装置が選択されるか否かをチェックする段階は、
遠隔制御対象装置を示すリモコンユーザーインターフェースメニューを表示する段階と、
ユーザーが前記表示されたメニューから特定遠隔制御対象装置を選択すると、これを感知する段階と、
を有することを特徴とする請求項１３記載の携帯通信端末機の方法。
【請求項１５】
前記遠隔制御対象装置がデジタル放送受信器を含むことを特徴とする請求項１４記載の携帯通信端末機の方法。
【請求項１６】
前記単方向通信方式が赤外線通信方式で、前記両方向通信方式がブルートゥース通信方式であることを特徴とする請求項１４記載の携帯通信端末機の方法。
【請求項１７】
前記携帯通信端末機が携帯用電話機であることを特徴とする請求項１４記載の携帯通信端末機の方法。
【請求項１８】
デジタル放送チャンネル情報が、前記リモコン機能を遂行するためのユーザーインターフェースと共に表示される情報であることを特徴とする請求項１５記載の携帯通信端末機の方法。
【請求項１９】
前記選択された遠隔制御対象装置から前記お知らせに対する応答が受信されないと、単方向通信方式に切り替えて前記リモコン機能の遂行のためのユーザーインターフェースを表示する段階を遂行することを特徴とする請求項１３記載の携帯通信端末機の方法。
【発明の詳細な説明】
【技術分野】
【０００１】
本発明は携帯通信端末機に関するもので、特に、携帯通信端末機のリモコン装置及びその機能遂行方法に関するものである。
【背景技術】
【０００２】
デジタルマルチメディア放送(Ｄｉｇｉｔａｌ    Ｍｕｌｔｉｍｅｄｉａ  Ｂｒｏａｄｃａｓｔｉｎｇ：以下、“ＤＭＢ”とする）受信器のような車両用或いは専用デジタル放送受信器は、入力キーが大部分制約的であるため、ユーザーインターフェース動作に多くの不便さがあった。また、入力キーの制限性を補償するために別途のリモコンを使用しても、車両用において、セットトップボックスのような家庭用リモコン(ｒｅｍｏｔｅ  ｃｏｎｔｒｏｌｌｅｒ)のように多くのキーを含むことが難しい。したがって、車両用リモコンの機能も制約的である。
【０００３】
ユーザーがいろいろな端末機(例えば、携帯用電話機、デジタル放送受信器、ＭＰ３プレーヤー、デジタル放送受信器用リモコンなど）を有することを考慮するときに、別途のリモコンを有する装置は管理が複雑で不便さがあった。
【０００４】
したがって、専用デジタル放送受信器を制御するためのリモコンが求められる。
【発明の開示】
【発明が解決しようとする課題】
【０００５】
したがって、本発明の目的は、遠隔制御対象装置と両方向通信が可能な携帯用通信端末機のリモコン装置及びその機能遂行方法を提供することにある。
【０００６】
また、本発明の目的は、携帯用電話機にデジタル放送受信器用リモコン機能を追加するリモコン装置及びその機能遂行方法を提供することにある。
【課題を解決するための手段】
【０００７】
上記のような目的を達成するために、本発明は、遠隔制御対象装置を選択し、遠隔制御命令を入力するための入力部と、前記選択を感知すると、前記遠隔制御対象装置の遠隔制御のための遠隔制御モードを設定し、前記遠隔制御対象装置に遠隔制御されることを知らせ、前記遠隔制御対象装置が初期化を実施するようにし、前記遠隔制御モードで前記入力部を通じる入力を遠隔制御命令の入力として認識する制御部と、前記遠隔制御対象装置に遠隔制御されることを知らせるためのメッセージ或いは前記遠隔制御命令に対応する無線信号を発生して前記遠隔制御対象装置に送信し、或いは前記遠隔制御対象装置から無線信号を受信する送受信部とを含む携帯通信端末機のリモコン装置を提供する。
【０００８】
また、本発明は、遠隔制御対象装置としてデジタル放送受信器を選択し、遠隔制御命令を入力するための入力部と、前記選択を感知すると、前記遠隔制御対象装置の遠隔制御のための遠隔制御モードを設定し、前記遠隔制御対象装置に遠隔制御されることを知らせて前記遠隔制御対象装置が該当初期化を実施するようにし、前記遠隔制御モードで前記入力部を通じる入力を遠隔制御命令の入力として感知する制御部と、前記制御部が感知した遠隔制御命令に対応する第１の無線信号を発生して前記遠隔制御対象装置に送信する送信部と、前記遠隔制御対象装置に遠隔制御されることを知らせるためのメッセージ又は前記遠隔制御命令に対応する第２の無線信号を発生して前記遠隔制御対象装置に送信し、或いは前記遠隔制御対象装置から第２の無線信号を受信する送受信部とを含む携帯通信端末機のリモコン装置を提供する。
【０００９】
さらに、本発明は、どんな遠隔制御対象装置が選択されるか否かをチェックする段階と、記選択を感知すると、単方向/両方向通信方式メニューを表示する段階と、単方向通信方式メニューが選択されると、リモコン機能の遂行のためのユーザーインターフェースを表示する段階と、両方向通信方式メニューが選択されると、前記選択された遠隔制御対象装置に遠隔制御されることを知らせ、リモコン機能を遂行するためのユーザーインターフェースを表示する段階と、前記ユーザーインターフェースを通じるチャンネル選択を感知すると、前記チャンネル選択を前記遠隔制御対象に知らせる段階と、前記チャンネルがチューニングされると、両方向通信方式の場合に、前記遠隔制御対象装置から受信した情報を前記リモコン機能を遂行するためのユーザーインターフェースと共に表示する段階とを有する携帯通信端末機のリモコン機能遂行方法を提供する。
【発明の効果】
【００１０】
本発明は、携帯通信端末機をリモコンとして使用して車両用或いは専用デジタル放送受信器を制御することによって、別途のリモコンを必要としないため、効率的でユーザーの満足度を向上させる効果がある。一般的な別途のリモコンは、紛失される可能性があり、或いは管理の不便さもあるが、携帯用電話機のように常に携帯する携帯通信端末機のリモコン装置は紛失の可能性が少なく、管理も容易である。また、携帯用電話機を用いるリモコンは、多くのキーを保有できる長所があり、数字キーを保有してアップ/ダウンチャンネル選択方式でなく、チャンネル番号を直接入力してチャンネル切り替えがすぐ遂行することができる長所がある。ＤＭＢ受信器がブルートゥース通信を支援するモデルである場合に、ＤＭＢ受信器のメイン画面を通すことなく、携帯通信端末機の画面を通じてＤＭＢのチャンネル情報を見ることができる長所もある。
【発明を実施するための最良の形態】
【００１１】
以下、本発明の望ましい実施形態を添付の図面を参照して詳細に説明する。
【００１２】
下記に、同一の構成要素に対しては、できるだけ同一の参照番号及び参照符号を付して説明する。また、本発明に関連した公知の機能或いは構成に関する具体的な説明が本発明の要旨を不明にすると判断された場合に、その詳細な説明を省略する。
【００１３】
携帯通信端末機は、携帯用電話機、移動端末機、個人携帯端末機(Ｐｅｒｓｏｎａｌ  Ｄｉｇｉｔａｌ  Ａｓｓｉｓｔａｎｔ：以下、“ＰＤＡ”とする)のような多様な装置が含まれる。これらは、各々固有の機能のみを有する場合もあるが、少なくとも２つ以上の機能を共に有する。例えば、携帯電話機は、固有の電話機能以外にもＰＤＡ機能をさらに有し、或いはＭＰ３機能をさらに有することができる。
【００１４】
携帯通信端末機は、携帯用電話機のようにユーザーが常に携帯する可能性が高い。それによって、この携帯通信端末機は、ユーザーの便宜を考慮した多様な付加機能が追加されている傾向にある。
【００１５】
したがって、本発明において携帯通信端末機は、デジタル放送受信器を遠隔制御するためのリモコン機能を含む。
【００１６】
図１は、本発明による携帯通信端末機とデジタル放送受信器を示す図である。
【００１７】
携帯通信端末機６００は、リモコン装置５００を含み、デジタル放送受信器７００の動作を制御するためにリモコン機能を遂行する。携帯通信端末機６００とデジタル放送受信器７００との間の無線通信は、両方向或いは単方向に遂行される。両方向無線通信としては、ブルートゥース(Ｂｌｕｅｔｏｏｔｈ)、ＲＦ送受信機(ｔｒａｎｓｃｅｉｖｅｒ)、ジグビー(ＺｉｇＢｅｅ)などがあり、単方向無線通信としては赤外線(ｉｎｆｒａｒｅｄ  ｌｉｇｈｔ）を用いる通信方式がある。しかしながら、他の通信方式を使用することも可能である。
【００１８】
デジタル放送受信器７００は、携帯通信端末機６００から伝送されたチャンネルアップ/ダウン又は他の命令を感知することが可能である。また、デジタル放送受信器７００は、チャンネルがチューニングされたときに、携帯通信端末機６００にチャンネル情報やその他の情報などを伝送することができる。
【００１９】
図２Ａ及び図２Ｂは、本発明の実施形態による携帯通信端末機のリモコン装置を示すブロック構成図である。
【００２０】
図２Ａを参照すると、リモコン装置５００は、入力部５２と、制御部５４と、第１の無線送受信部５６と、第２の無線送信部５８と、表示部５１０とを含む。入力部５２は、デジタル放送受信器７００を通じて再生されるデジタル放送のチャンネル制御、デジタル放送受信器７００のスピーカーボリュームの制御、デジタル放送の再生開始或いは停止制御のような遠隔制御命令を入力するために使用される。このキー入力部は、機能キー、文字数字(ａｌｐｈａ  ｎｕｍｅｒｉｃ)キー、ソフトキー、又はこれらの組合せを含む。
【００２１】
第１の無線信号送受信部５６は、入力部５２を通じた入力に対応する第１の無線信号を発生してデジタル放送受信器７００に送信し、或いは、デジタル放送受信器７００から第１の無線信号を受信する。第１の無線信号は、例えばブルートゥース信号で実現可能である。第２の無線信号送信部５８は、入力部５２を通じた入力に対応する第２の無線信号を発生してデジタル放送受信器７００に送信する。第２の無線信号は、例えば赤外線信号で実現可能である。表示部(例えば、液晶表示など)５１０は、第１の無線信号送受信部５６を通じてデジタル放送受信器７００から受信した電子プログラム案内(Ｅｌｅｃｔｒｏｎｉｃ  Ｐｒｏｇｒａｍ  Ｇｕｉｄｅ：以下、“ＥＰＧ”とする)情報を表示する。ＥＰＧ情報は、デジタル放送局(図示せず)からデジタル放送受信器７００に提供する。また、表示部５１０は、メニュー方式を採択した場合に、リモコンユーザーインターフェースメニュー、モデル名メニュー、通信方式メニューなどを表示する。
【００２２】
制御部５４は、入力部５２を通じるキー入力の認識、第１の無線信号送受信部５６又は第２の無線信号送信部５８の動作、表示部５１０の表示を制御する。すなわち、入力部５２を通常のキーパッドで実現する場合に、遠隔制御モードが設定されると、端末機固有のモード(例えば、携帯電話機の場合には通話モード)の場合とキーを異なるように認識する。すなわち、数字キーがデジタル放送チャンネルの入力用キーとして認識され、或いはボリュームキー又はナビゲーションキーがチャンネルアップ/ダウン用キーとして認識されるように実現される。
【００２３】
図２Ｂは、入力部５１が表示部５９に入力画面の形態で表示されるように実現した例を示す。すなわち、入力部５１は、タッチパッドを含み、遠隔制御モードでユーザーが画面に表示されたキーの中で、例えば、どんな数字キーをタッチすると、該当するデジタル放送チャンネル番号が入力されるように実現できる。
【００２４】
図３Ａ及び図３Ｂは、本発明の実施形態による携帯通信端末機のリモコン装置の構成を示す。図２Ａ及び図２Ｂと比較すると、第２の無線信号送信部５８が提供されない。
【００２５】
図４Ａ〜図４Ｃは、本発明の実施形態による携帯通信端末機のリモコン機能を遂行するためのメニュー構成を示す。
【００２６】
図４Ａは、リモコンユーザーインターフェースメニューを示す画面で、“ＴＶ”、“ＶＴＲ”、“ＤＶＤ”、“カラオケ”、“セットトップボックス”、“ＤＭＢ”のような項目が含まれた例を示す。携帯通信端末機のリモコン装置を用いてＤＭＢ受信器を遠隔制御しようとすると、図４Ａに示す項目の中で“ＤＭＢ”を選択すれば良い。
【００２７】
図４Ｂは、“ＤＭＢ”項目が選択されたときに、そのサブメニューである“ＤＭＢモデル”を示す。“ＤＭＢモデル”は、“ＩＮＳ-７００”、“ＳＴＵ-Ｄ５００”、“ＣＴＣ-８００”、“ＮＷＥ-Ａ３０”のような項目を並べるＤＭＢモデル名メニューである。
【００２８】
図４Ｃは、図４Ｂに示したＤＭＢモデル名の中で“ＩＮＳ-７００”の項目が選択されたときに、そのサブメニューである“ＩＮＳ-７００”を示す。ＩＮＳ-７００メニューは、２つの項目、すなわち“赤外線リモコン”と“ブルートゥースリモコン”を有する。
【００２９】
図４Ａから図４Ｃの順に、現在カーソルが置かれた位置の項目が選択されたと仮定すると、携帯通信端末機のリモコン装置がモデル名“ＩＮＳ-７００”であるデジタル放送受信器のブルートゥースリモコンとして動作する。
【００３０】
図５は、本発明の実施形態による携帯通信端末機のリモコン装置に表示される赤外線リモコンユーザーインターフェース画面を示す。ユーザーが画面のナビゲーション(上下左右)キー、確認キー、取り消しキー、ビデオキー、オーディオキー、又は数字キーを選択し、その画面部をタッチすることによって該当入力が遂行される。チャンネル番号をすぐ入力するために該当数字キーを用いるが、ナビゲーションキーを用いてアップ/ダウン方式でチャンネル変更が可能であることももちろんである。
【００３１】
図示のキーは、遠隔制御モードのために再定義されたものである。これらキーは、携帯通信端末機固有のモード遂行のためのキー(例えば、携帯通信端末機が携帯電話機であると仮定する場合に、通話モードで電話番号入力のために利用される数字キー)の定義と異なる。但し、取り消しキーは、現在モード(遠隔制御モード)から元のモード(例えば、通話モード）に戻るために使用されるため、再定義はしない。
【００３２】
図６は、本発明の実施形態による携帯通信端末機のリモコン装置に表示されるブルートゥースリモコンユーザーインターフェース画面を示す。携帯通信端末機とデジタル放送受信器がブルートゥース通信を支援すると、携帯通信端末機がリモコンの役割だけでなく、デジタル放送チャンネルが選択される場合に該当チャンネルのチャンネル情報も表示可能であることを示す。上述した図５と同様に、画面のナビゲーションキー、確認キー、取り消しキー、ビデオキー、オーディオキー、又は数字キーが画面の一部領域に表示され、ユーザーがこれらのうちいずれか一つをタッチすることで、該当キーの入力が遂行される。また、画面の他の一部領域にはチャンネル情報が表示されるが、図示した例はチャンネル“１５”の現在及び次のプログラム名と放送時間が表示されている状態である。
【００３３】
図７は、本発明の実施形態による携帯通信端末機のリモコン装置のリモコン機能を遂行するための方法を示すフローチャートである。図７では、ＤＭＢ受信器を携帯通信端末機のリモコン装置で遠隔制御し、ブルートゥースモード又は赤外線モードのうちの一つが選択可能な場合を仮定したものである。
【００３４】
ステップ１１０で、リモコン装置は、リモコンユーザーインターフェースメニューを表示する。例えば、前述した図４Ａに示すようなメニュー画面が表示される。
【００３５】
表示されたメニュー画面を見てユーザーがＤＭＢ項目を選択すると、ステップ１２０で、リモコン装置はユーザーによるＤＭＢ項目の選択を感知する。
【００３６】
ＤＭＢ項目の選択を感知した後に、ステップ１３０で、リモコン装置は、モデル名メニューを表示する。すなわち、ＤＭＢ受信器のモデル名を並べた形態であるモデル名メニューが表示される。これは、上述した図４Ｂに示すような画面を例として挙げられる。
【００３７】
表示された画面を見てユーザーがモデル名を選択すると、ステップ１４０で、リモコン装置はユーザーによるモデル名の選択を感知する。
【００３８】
モデル名の選択を感知した後に、ステップ１５０で、リモコン装置は、通信方式メニューを表示する。ブルートゥースモード又は赤外線モードを表示する場合に、上述した図４Ｃに示すような画面を例として挙げられる。
【００３９】
通信方式メニューを表示した後に、ステップ１６０で、リモコン装置は、ブルートゥースモードが選択されるか否かをチェックする。その結果、ユーザーによるブルートゥースモードの選択を感知すると、ステップ１７０で、リモコン装置は、ＤＭＢ端末機がブルートゥースモードを支援するか否かをチェックする。
【００４０】
一方、ステップ１６０のチェック結果、ブルートゥースモードの選択が感知されないとか、ステップ１７０のチェック結果、ＤＭＢ端末機がブルートゥースモードを支援しないと判断されると、ステップ２５０に進行して、リモコン装置は赤外線モードに設定される。すると、一般赤外線リモコンと同様に、リモコン装置は、ユーザーの入力に基づいて赤外線信号を出力する。この赤外線信号は、ＤＭＢ端末機を遠隔制御するために使用する。すなわち、ステップ２６０で、リモコン装置は、ユーザーによってチャンネルが選択されるか否かをチェックする。チャンネルの選択が感知されると、ステップ２７０で、リモコン装置は、ＤＭＢ端末機に選択されたチャンネルを送信する。これによって、ＤＭＢ端末機は、選択されたチャンネルを再生するようになる。
【００４１】
一方、ＤＭＢ端末機がブルートゥースモードを支援すると判断されると、ステップ１８０で、リモコン装置はブルートゥースモードに設定される。
【００４２】
ブルートゥースモードに設定された後に、ステップ１９０で、リモコン装置は、ＤＭＢ端末機に初期化信号を送信する。初期化信号を受信したＤＭＢ端末機は、遠隔制御を受けるように初期化を実施し、待機状態に進入する。ステップ２００で、リモコン装置は、ＤＭＢ端末機から応答が受信されるか否かをチェックする。その結果、応答が受信されないと、ステップ２５０に進行して、リモコン装置は赤外線モードに切り替えられる。
【００４３】
ステップ２００の結果、応答が受信されると、ステップ２１０で、リモコン装置は、ユーザーによってチャンネルが選択されるか否かをチェックする。チャンネルの選択が感知されると、ステップ２２０で、リモコン装置は、ＤＭＢ端末機に選択されたチャンネルを送信する。これによって、ＤＭＢ端末機は、選択されたチャンネルを再生するようになる。
【００４４】
その後、ステップ２３０で、リモコン装置は、ＤＭＢ端末機から受信されたチャンネル情報があるか否かをチェックする。受信されたチャンネル情報がある場合に、ステップ２４０に進行し、リモコン装置はチャンネル情報を表示する。ここで、チャンネル情報は、ＥＰＧ情報を称し、チャンネル番号、プログラム名、歌のタイトル、歌手名などを含む情報である。
【００４５】
ステップ２１０又はステップ２６０で、チャンネル選択は、キーパッド又はタッチスクリーンのうちのいずれか一つによって遂行可能である。タッチスクリーンを使用すると(図５に示すように)、ステップ２１０又はステップ２６０の前にリモコン機能を遂行するためのユーザーインターフェースを表示するステップをさらに遂行すべきである。また、図６に示すように、ステップ２４０でのチャンネル情報表示もリモコン機能遂行のためのユーザーインターフェースと共に遂行されることが可能である。
【００４６】
図８は、本発明の実施形態による携帯通信端末機のリモコン装置のリモコン機能を遂行するための方法を示すフローチャートである。
【００４７】
図８では、ＤＭＢ受信器は、携帯通信端末機のリモコン装置で遠隔制御し、ＤＭＢ受信器と携帯通信端末機のリモコン装置との間にブルートゥース通信が可能である場合を仮定する。
【００４８】
図７と比較すると、ステップ１５０〜ステップ１８０、ステップ２５０〜ステップ２７０は遂行しない。また、ステップ２００で、ＤＭＢ受信器からの応答が受信されないと、図７ではステップ２５０に進行して、赤外線モードを設定することによって他の方式で遠隔制御が遂行可能である。しかしながら、図８においては、一つの通信方式(例えば、ブルートゥース)のみが可能であるため、ステップ２８０に進行して遠隔制御不可表示をする。遠隔制御不可の具体的な原因は、非支援端末機であり、或いは規定範囲を超えるとか通信障害物がある無線通信端末とデジタル放送受信器との間の距離などが含まれる。
【００４９】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５０】
【図１】本発明による携帯通信端末機とデジタル放送受信器を示す図である。
【図２Ａ】本発明の実施形態による携帯通信端末機のリモコン装置を示すブロック構成図である。
【図２Ｂ】本発明の他の実施形態による携帯通信端末機のリモコン装置を示すブロック構成図である。
【図３Ａ】本発明の実施形態による携帯通信端末機のリモコン装置を示す図である。
【図３Ｂ】本発明の他の実施形態による携帯通信端末機のリモコン装置を示す図である。
【図４Ａ】本発明の実施形態による携帯通信端末機のリモコン機能を遂行するためのメニュー構成を示す図である。
【図４Ｂ】本発明の実施形態による携帯通信端末機のリモコン機能を遂行するためのメニュー構成を示す図である。
【図４Ｃ】本発明の実施形態による携帯通信端末機のリモコン機能を遂行するためのメニュー構成を示す図である。
【図５】本発明の実施形態による携帯通信端末機のリモコン装置に表示される赤外線リモコンユーザーインターフェース画面を示す図である。
【図６】本発明の実施形態による携帯通信端末機のリモコン装置に表示されるブルートゥースリモコンユーザーインターフェース画面を示す図である。
【図７】本発明による携帯通信端末機のリモコン装置のリモコン機能を遂行するための方法を示すフローチャートである。
【図８】本発明による携帯通信端末機のリモコン装置のリモコン機能を遂行するための方法を示すフローチャートである。
【符号の説明】
【００５１】
５１，５２      入力部(キーパッド)
５４            制御部
５６            第１の無線信号送受信部
５８            第２の無線信号送信部
５９，５１０    表示部
５００          リモコン装置
６００          携帯通信端末機
７００          デジタル放送受信器
【図１】
2007043701.tif 000003
【図２Ａ】
2007043701.tif 000004
【図２Ｂ】
2007043701.tif 000005
【図３Ａ】
2007043701.tif 000006
【図３Ｂ】
2007043701.tif 000007
【図４Ａ】
2007043701.tif 000008
【図４Ｂ】
2007043701.tif 000009
【図４Ｃ】
2007043701.tif 000010
【図５】
2007043701.tif 000011
【図６】
2007043701.tif 000012
【図７】
2007043701.tif 000013
【図８】
2007043701.tif 000014